(57)【要約】【課題】  省エネモードが選択されているときに、バックライトの輝度が下がったことをユーザに感じさせることがなく、また消費電力を十分に低減することができる液晶表示装置を提供する。【解決手段】  テレビジョン受信装置１は、省エネモードで動作しており、且つバックライト１２の輝度が設定されている下限値でないとき、チャンネルの切り換えにかかる入力が行われる毎に、バックライト１２の輝度を第１の量ずつ下げる。また、バックライト１２の輝度を第１の量だけ下げるときに、液晶パネル１１に黒ベタの映像を一定時間表示し、視聴しているユーザに暗い映像を印象づけるので、黒ベタの映像の表示が終わり、切り換えられたチャンネルで放送されている番組の映像が液晶パネル１１に表示されたときに、ユーザにバックライト１２の輝度を一定量下げたことを気づかせない。【選択図】  図１
2006238390.tif 000002
【特許請求の範囲】
【請求項１】
テレビ放送信号を受信し、選択されているチャンネルのテレビ放送信号を抽出して出力する受信手段と、
液晶パネルを背面から照らすバックライトの輝度を制御する輝度制御手段と、
前記受信手段から出力されたテレビ放送信号に基づく映像を前記液晶パネルに表示する表示手段と、を備えた液晶表示装置において、
消費電力を低減する省エネモードを選択するかどうかを切り換える切換手段を備え、
前記表示手段は、前記切換手段で省エネモードが選択されている場合に、前記受信手段に対してチャンネルの選択切換にかかる入力があると、黒ベタの映像を前記液晶パネルに一定時間表示する手段であり、
前記輝度制御手段は、前記切換手段で省エネモードが選択されている場合に、前記受信手段に対してチャンネルの選択切換にかかる入力があると、前記バックライトの輝度をその時点における輝度よりも第１の量下げた輝度に制御するとともに、前記バックライトの輝度を下げた前回の処理から、予め設定されている設定時間経過したときに前記バックライトの輝度をその時点における輝度よりも第２の量下げた輝度に制御する手段であり、
前記第２の量は、前記第１の量の半分以下であり、
さらに、前記バックライトの輝度の下限値を設定する下限値設定手段を備え、
前記輝度制御手段は、前記バックライトの輝度を、前記下限値設定手段で設定された下限値よりも下げるのを禁止する手段であるテレビジョン受信装置。
【請求項２】
テレビ放送信号を受信し、選択されているチャンネルのテレビ放送信号を抽出して出力する受信手段と、
液晶パネルを背面から照らすバックライトの輝度を制御する輝度制御手段と、
前記受信手段から出力されたテレビ放送信号に基づく映像を前記液晶パネルに表示する表示手段と、を備えた液晶表示装置において、
消費電力を低減する省エネモードを選択するかどうかを切り換える切換手段を備え、
前記表示手段は、前記切換手段で省エネモードが選択されている場合に、前記受信手段に対してチャンネルの選択切換にかかる入力があると、黒ベタの映像を前記液晶パネルに一定時間表示する手段であり、
前記輝度制御手段は、前記切換手段で省エネモードが選択されている場合に、前記受信手段に対してチャンネルの選択切換にかかる入力があると、前記バックライトの輝度をその時点における輝度よりも第１の量下げた輝度に制御する手段であるテレビジョン受信装置。
【請求項３】
前記輝度制御手段は、前記切換手段で省エネモードが選択されている場合に、前記バックライトの輝度を下げた前回の処理から、予め設定されている設定時間経過したときに前記バックライトの輝度をその時点における輝度よりも第２の量下げた輝度に制御する手段であり、
前記第２の量は、前記第１の量の半分以下である請求項２に記載のテレビジョン受信装置。
【請求項４】
前記バックライトの輝度の下限値を設定する下限値設定手段を備え、
前記輝度制御手段は、前記バックライトの輝度を、前記下限値設定手段で設定された下限値よりも下げるのを禁止する手段である請求項２または３に記載のテレビジョン受信装置。
【発明の詳細な説明】
【技術分野】
【０００１】
この発明は、テレビ放送信号を受信し、選択されているチャンネルで放送されている番組の映像を液晶パネルに表示するテレビジョン受信装置に関し、特に装置本体での消費電力を低減する省エネモードを設けたテレビジョン受信装置に関する。
【背景技術】
【０００２】
従来、テレビ放送の番組を視聴するテレビジョン受信装置として、番組の映像を液晶パネルに表示する液晶テレビが実用化されている。液晶テレビは、液晶パネルを背面からバックライトで略均一に照らすとともに、選択されているチャンネルで放送されている番組の映像信号に基づいて液晶パネルの各画素の透過率を制御し、液晶パネルに映像を表示している。バックライトには、光源として冷陰極管や白色ＬＥＤ等が用いられている。
【０００３】
また、一般的な液晶テレビには、装置本体の消費電力を低減する省エネモードが設けられている。液晶テレビは、バックライトの消費電力が大きい。一般的な液晶テレビの省エネモードは、バックライトの輝度を下げて、バックライトでの消費電力を低減することにより、装置本体での消費電力を低減している。例えば、特許文献１では入力されている映像信号に基づく映像の最大輝度をフレーム毎に検出し、検出した映像の最大輝度が低くなるにつれて、バックライトの輝度を下げていくことが提案されている。また、特許文献２では、時間経過にともなって、バックライトの輝度を下げていくくことが提案されている。さらに、省エネモードが選択されると、バックライトの輝度を予め設定されている輝度に一気に下げる液晶表示装置もある。
【特許文献１】特開２００４−２４５８９６号公報
【特許文献２】特開２００３−１９５８３５号公報
【発明の開示】
【発明が解決しようとする課題】
【０００４】
しかしながら、特許文献１に記載されている液晶表示装置は、入力されている映像信号に基づく映像の輝度に応じてバックライトの輝度を上げたり、下げたりする構成であるため、入力されている映像信号によっては、バックライトの輝度が殆ど下げられないことがあった。具体的には、入力されている映像信号に基づく映像の殆どが最大輝度の高い映像である場合、バックライトの輝度が殆ど下げられることがない。したがって、入力されている映像信号に基づく映像の殆どが最大輝度の高い映像である間、消費電力が殆ど低減されないという問題があった。
【０００５】
また、特許文献２に記載されている液晶表示装置は、時間経過にともなってバックライトの輝度を下げていく構成であるので、液晶パネルに表示されている映像が時間経過にともなって暗くなっていくのをユーザに感じさせてしまい、違和感を与えるという問題があった。また、省エネモードが選択されると、バックライトの輝度を予め設定されている輝度に一気に下げる液晶表示装置も同様にユーザに違和感を与えるという問題があった。
【０００６】
この発明の目的は、省エネモードが選択されているときに、バックライトの輝度が下がったことをユーザに感じさせることがなく、また消費電力を十分に低減することができるテレビジョン受信装置を提供することにある。
【課題を解決するための手段】
【０００７】
この発明のテレビジョン受信装置は、上記課題を解決するために以下の構成を備えている。
【０００８】
（１）テレビ放送信号を受信し、選択されているチャンネルのテレビ放送信号を抽出して出力する受信手段と、
液晶パネルを背面から照らすバックライトの輝度を制御する輝度制御手段と、
前記受信手段から出力されたテレビ放送信号に基づく映像を前記液晶パネルに表示する表示手段と、を備えた液晶表示装置において、
消費電力を低減する省エネモードを選択するかどうかを切り換える切換手段を備え、
前記表示手段は、前記切換手段で省エネモードが選択されている場合に、前記受信手段に対してチャンネルの選択切換にかかる入力があると、黒ベタの映像を前記液晶パネルに一定時間表示する手段であり、
前記輝度制御手段は、前記切換手段で省エネモードが選択されている場合に、前記受信手段に対してチャンネルの選択切換にかかる入力があると、前記バックライトの輝度をその時点における輝度よりも第１の量下げた輝度に制御する手段である。
【０００９】
この構成では、切換手段において省エネモードが選択されているときに、受信手段に対してチャンネルの切り換えにかかる入力があると、表示手段が黒ベタの映像を液晶パネルに一定時間表示するとともに、輝度制御手段がバックライトの輝度をその時点の輝度よりも第１の量だけ下げる。すなわち、省エネモードが選択されているとき、チャンネルの切り換えにかかる入力が行われる毎に、バックライトの輝度が第１の量ずつ下げられる。このように、液晶パネルに表示する映像の映像信号に影響されることなく、バックライトの輝度を段階的に下げるので、消費電力を十分に低減することができる。
【００１０】
また、バックライトの輝度を第１の量下げるときに、黒ベタの映像を液晶パネルに一定時間表示する構成としているので、視聴しているユーザに対して黒ベタの暗い映像を見せた後に、バックライトの輝度を第１の量だけ下げて表示した映像を見せることができる。言い換えれば、ユーザは暗いと感じる黒ベタの映像を見てから、第１の量だけバックライトの輝度が下げられた映像を見ることになる。このため、多くのユーザは、第１の量だけバックライトの輝度が下げられた映像を見たとき、その直前に見た黒ベタの映像の印象が残っているので、バックライトの輝度が下げられて、液晶パネルに表示されている映像が暗くなったと感じない。すなわち、バックライトの輝度が下がったことをユーザに殆ど感じさせることがなく、ユーザに違和感を与えるのを防止できる。
【００１１】
なお、第１の時間はユーザが液晶パネルに黒ベタの映像が表示されたことを認識でき、且つ余り長くない時間、例えば０．５〜１秒程度、にするのが好ましい。
【００１２】
（２）前記輝度制御手段は、前記切換手段で省エネモードが選択されている場合に、前記バックライトの輝度を下げた前回の処理から、予め設定されている設定時間経過したときに前記バックライトの輝度をその時点における輝度よりも第２の量下げた輝度に制御する手段であり、
前記第２の量は、前記第１の量の半分以下である。
【００１３】
この構成では、省エネモードが選択されている場合に、バックライトの輝度を下げた前回の処理から、予め設定されている設定時間経過したときに第２の量だけバックライトの輝度を下げる。したがって、省エネモードが選択されている場合に、チャンネルの切り換えが行われなくても、バックライトの輝度が時間経過にともなって下げられるので、消費電力を十分に低減することができる。また、第２の量を第１の量の半分以下にしているので、バックライトの輝度が時間経過にともなって下げられた場合でも、バックライトの輝度が下がったことをユーザに殆ど感じさせることがなく、ユーザに違和感を与えるのを防止できる。
【００１４】
（３）前記バックライトの輝度の下限値を設定する下限値設定手段を備え、
前記輝度制御手段は、前記バックライトの輝度を、前記下限値設定手段で設定された下限値よりも下げるのを禁止する手段である。
【００１５】
この構成では、省エネモード時おけるバックライトの輝度の下限値をユーザが任意に設定することができる。したがって、ユーザは液晶パネルに表示されている映像が暗くて見にくいと感じるレベルまでバックライトの輝度が下がらないように、バックライトの輝度の下限値を設定することができる。
【発明の効果】
【００１６】
この発明によれば、液晶パネルに表示する映像の映像信号に影響されることなく、バックライトの輝度を段階的に下げることができ、装置本体の消費電力を十分に低減することができる。またバックライトの輝度が下がったことをユーザに殆ど感じさせることがなく、ユーザに違和感を与えるのを防止できる。
【発明を実施するための最良の形態】
【００１７】
以下、この発明の実施形態であるテレビジョン受信装置について説明する。
【００１８】
図１は、この発明の実施形態である液晶表示装置を適用したテレビジョン受信装置の構成を示す図である。この実施形態のテレビジョン受信装置１は、所謂液晶テレビである。この実施形態のテレビジョン受信装置１は、本体の動作を制御する制御部２と、テレビ放送信号を受信し、選択されているチャンネルで放送されている番組の映像信号、および音声信号を抽出して出力する受信部３と、受信部３から出力された映像信号を処理する映像信号処理部４と、受信部３から出力された音声信号を処理する音声信号処理部５と、液晶パネル１１と、映像信号処理部４で処理された映像信号に基づいて液晶パネル１１の各画素の透過率を制御する液晶パネルドライバ６と、液晶パネル１１を背面から照らすバックライト１２と、このバックライト１２を点灯させるインバータ回路７と、インバータ回路７を制御してバックライト１２の輝度を制御する輝度制御部８と、本体に対する入力操作を行う操作部９と、音声信号処理部５で処理された音声信号に基づく音声を出力するスピーカ１３と、を備えている。この実施形態のテレビジョン受信装置１は、通常モードと、この通常モードよりも装置本体の消費電力を低減する省エネモードの２つのモードで動作する。通常モードと、省エネモードとの切り換えは、操作部９における入力操作で行える。省エネモードは、通常モードよりもバックライト１２の輝度を下げることで、消費電力を低減するモードである。
【００１９】
なお、制御部２は、装置本体の各部に対して動作指示が行えるように接続されている。
【００２０】
受信部３には、図示していないアンテナが接続されており、このアンテナで受信でされているテレビ放送信号が入力される。受信部３は、入力されているテレビ放送信号から、選択されているチャンネルで放送されている番組のテレビ放送信号を抽出するチューナ、チューナで抽出したテレビ放送信号を映像信号と音声信号に分離する信号分離回路を有している。映像信号処理部４は、受信部３から入力された映像信号に対して、液晶パネル１１で表示するための信号処理、例えばＡ／Ｄ変換、ガンマ変換、画素変換、インタレース・プログレッシブ変換（ＩＰ変換）等を行う。映像信号処理部４で処理された映像信号は液晶パネルドライバ６に入力される。液晶パネルドライバ６は、映像信号処理部４から入力された映像信号に基づいて、液晶パネル１１の各画素の透過率を制御する。
【００２１】
バックライト１２は、図２に示すように、光源である円筒状の冷陰極管１２ａと、この冷陰極管１２ａを覆う反射板１２ｂと、白色の合成樹脂であり発光面が液晶パネル１１の表示面と略同じ大きさの導光板１２ｃを有している。点灯させた冷陰極管１２ａから発せられた光は、反射板１２ｂにより反射されて導光板１２ｃの端面に導かれる。導光板１２ｃにおいて、端面より入射された光が面発光される。導光板１２ｃの発光面に対向して液晶パネル１１が配置されている。導光板１２ｃは、液晶パネル１１全体を背面から略均一な光で照らす。
【００２２】
輝度制御部８は、インバータ回路７に対してバックライト１２の輝度を指示する。輝度制御部８は、省エネモード時に、受信部３に対するチャンネルの切り換えが行われたときに、バックライト１２の輝度をその時点よりも第１の量だけ下げた輝度に変更する指示をインバータ回路７に対して行う。また、輝度制御部８は、インバータ回路７に対してバックライト１２の輝度を下げる指示を行ってから一定時間経過すると、バックライト１２の輝度をその時点よりも第２の量だけ下げた輝度に変更する指示をインバータ回路７に対して行う。第１の量は、通常モード時におけるバックライト１２の輝度の数％、例えば１〜２％であり、第２の量は第１の量の半分以下である。インバータ回路７は、ＰＷＭ制御でバックライト１２の輝度を輝度制御部８から指示された輝度に制御する。具体的には、ＰＷＭ制御で冷陰極管１２ａに供給する電力を制御する。音声信号処理部５は、受信部３から入力された音声信号を処理し、スピーカ１３に入力する。操作部９には、ユーザが装置本体に対する入力操作を行うキーや、図示していないリモコン装置から送信されてきた装置本体に対する制御コマンドを受信するリモコン受信部を有している。テレビジョン受信装置１は、操作部９のキー操作、またはリモコン装置から送信されてきた制御コマンドに応じて、本体の動作を制御する。ユーザは、受信部３で抽出するテレビ放送信号のチャンネル選択、通常モードと省エネモードとの切り換え、省エネモード時におけるバックライト１２の輝度の下限値設定等を、操作部９のキー操作またはリモコン装置の操作で行える。省エネモード時におけるバックライト１２の輝度の下限値は、通常モード時におけるバックライト１２の輝度に対する比率、例えば８０％、７０％、６０％等、で設定される。設定されたバックライト１２の輝度の下限値は、制御部２に設けられているメモリに記憶される。
【００２３】
この実施形態のテレビジョン受信装置１は、上述したように、動作モードとして、通常モードと省エネモードとを有している。通常モードは、バックライト１２の輝度を１００％に保持して動作するモードである。また、省エネモードはバックライト１２の輝度を通常モードよりも下げて、装置本体の消費電力を低減するモードである。また、テレビジョン受信装置１には、省エネモードでのバックライト１２の輝度の下限値が制御部２に設定されている。テレビジョン受信装置１は、装置本体の電源オン時に省エネモードが選択されていれば、バックライト１２の輝度を設定されている下限値に制御する。また、装置本体の電源がオンされているときに、通常モードから省エネモードに切り換えられると、バックライト１２の輝度を一気に下限値にするのではなく、予め定められている条件を満たす毎に、バックライト１２の輝度を段階的に下げていき、バックライト１２の輝度が設定されている下限値に達すると、この下限値で保持する（バックライト１２の輝度をこれ以上下げない。）。省エネモード時にバックライト１２の輝度を下げる条件は、受信部３に対してチャンネルの切り換えにかかる入力が行われたとき、およびバックライト１２の輝度を下げた前回の処理から一定時間経過したときである。
【００２４】
次に、この実施形態にかかるテレビジョン受信装置１の動作について説明する。図３は、この実施形態のテレビジョン受信装置の電源オン時の初期動作を示すフローチャートである。テレビジョン受信装置１は、装置本体の電源がオンされると、図３に示す初期動作を実行する。テレビジョン受信装置１は、装置本体の電源がオンされると、まず装置本体が通常モードに設定されているか、省エネモードに設定されているかを判断する（ｓ１）。テレビジョン受信装置１は、前回の使用終了時に設定されていたモード（通常モード、または省エネモード）を記憶しており、この記憶しているモードを、今回の電源オン時に設定されているモードであると判断する。具体的には、前回の電源オフ時に通常モードが選択されていれば、ｓ１で通常モードであると判断し、反対に、前回の電源オフ時に省エネモードが選択されていれば、ｓ１で省エネモードであると判断する。
【００２５】
テレビジョン受信装置１は、ｓ１で通常モードであると判断すると、バックライト１２の輝度を１００％に設定する（ｓ２）。一方、ｓ１で省エネモードであると判断するとバックライト１２の輝度を設定されている下限値、例えば通常モードの８０％、に設定する（ｓ３）。ｓ２、ｓ３では、制御部２が輝度制御部８に対して設定されているモードが通常モード、省エネモードのどちらであるか、および設定されているバックライト１２の輝度の下限値を通知する。輝度制御部８は、制御部２から通知されたモードに応じたバックライト１２の輝度をインバータ回路７に指示する。インバータ回路７は、バックライト１２の輝度が輝度制御部８から通知された輝度になるように、ＰＷＭ制御で冷陰極管１２ａに供給する電力を調整し、バックライト１２の輝度を指示された輝度に制御する。
【００２６】
また、受信部３が装置本体の電源がオンされたタイミングで、受信しているテレビ放送信号の中から、選択されているチャンネルのテレビ放送信号を抽出する処理を開始する。映像信号処理部４には、受信部３から選択されているチャンネルで放送されている番組の映像信号が入力されている。映像信号処理部４は、受信部３から入力されている映像信号に対して液晶パネル１１で表示するための信号処理を行い、処理した映像信号を液晶パネルドライバ６に入力している。また、液晶パネルドライバ６は、映像信号処理部４から入力されている映像信号に基づいて液晶パネル１１の各画素の透過率を制御している。したがって、液晶パネル１１では、選択されているチャンネルで放送されている番組の映像が表示されている。また、音声信号処理部５は、受信部３から入力されている、選択されているチャンネルで放送されている番組の音声信号を処理し、スピーカ１３に入力している。したがって、スピーカ１３から選択されているチャンネルで放送されている番組の音声が出力されている。
【００２７】
テレビジョン受信装置１は、図３に示す初期動作を完了すると、その時点で装置本体に対して設定されているモード、通常モードまたは省エネモード、で動作する。まず、通常モードにおける動作ついて説明する。図４は、通常モードにおける動作を示すフローチャートである。テレビジョン受信装置１は、装置本体に対する入力を待つ（ｓ１１）。ｓ１１では、操作部９においてキー操作が行われるか、またはリモコン装置から送信されてきた制御コマンドを受信するのを待っている。テレビジョン受信装置１は、装置本体に対する入力があると、この入力がチャンネルの切り換えにかかる入力であれば、受信部３において受信しているテレビ放送信号から抽出するテレビ放送信号のチャンネルを今回指示されたチャンネルに切り換える、チャンネル切換処理を行い（ｓ１２、ｓ１３）、ｓ１１に戻る。ｓ１３では、制御部２が受信部３に対して切り換えるチャンネルを指示し、受信部３がこの指示にしたがってチューナで抽出するテレビ放送信号のチャンネルを切り換える。
【００２８】
また、装置本体に対する入力が、省エネモード時におけるバックライト１２の輝度の下限値の変更にかかる入力であれば、バックライト１２の輝度の下限値を今回指示された値に更新し（ｓ１４、ｓ１５）、ｓ１１に戻る。ｓ１５では、制御部２が、メモリに記憶しているバックライト１２の輝度の下限値を今回指示された下限値に更新するとともに、輝度制御部８に対して今回指示されたバックライト１２の輝度の下限値を通知する。輝度制御部８は、この通知にしたがって、バックライト１２の輝度の下限値を今回通知された下限値に更新する。また、装置本体に対する入力が、装置本体の電源オフにかかる入力であれば、装置本体の電源をオフする電源オフ処理を実行し、本処理を終了する（ｓ１６、ｓ１７）。これにより、液晶パネル１１における映像の表示や、スピーカ１３からの音声出力が停止される。
【００２９】
さらに、装置本体に対する入力が、通常モードから省エネモードへの切り換えにかかる入力であれば、通常モードから後述する省エネモードへの移行する、モード切換にかかる処理を行い（ｓ１８、ｓ１９）、この通常モードにかかる処理を終了する。このとき、通常モードでの動作については終了するが、継続して後述する省エネモードでの動作が行われるので、液晶パネル１１における映像の表示や、スピーカ１３からの音声出力については、停止されない。また、通常モードから省エネモードに移行したとき、バックライト１２の輝度は１００％である。
【００３０】
なお、テレビジョン受信装置１は、装置本体に対する入力が上記以外であれば、例えば出力されている音声のアップ／ダウンにかかる入力であれば、その入力に応じた処理（その他の処理）を行う（ｓ２０）。
【００３１】
次に、省エネモードにおける動作について説明する。図５、６は、この発明の実施形態であるテレビジョン受信装置の省エネモードにおける動作を示すフローチャートである。この省エネモードは、装置本体の電源がオンされたときに設定されていたモードが省エネモードであった場合、および上述した通常モードでの動作時に通常モードから省エネモードへの切り換えにかかる入力があった場合に、この省エネモードにかかる動作を開始する。テレビジョン受信装置１は、その時点におけるバックライト１２の輝度が設定されている下限値であるかどうかを判定する（ｓ３１）。装置本体の電源がオンされたときに設定されていたモードが省エネモードであった場合には、バックライト１２の輝度はｓ３で下限値に設定されている。一方、上述した通常モードでの動作時に通常モードから省エネモードへの切り換えにかかる入力があった場合には、バックライト１２の輝度は下限値ではなく、１００％に設定されている。
【００３２】
テレビジョン受信装置１は、ｓ３１でバックライト１２の輝度が下限値であると判定すると、装置本体に対する入力を待つ（ｓ３２）。ｓ３２では、上述したｓ１１と同様に操作部９のキーが操作されるか、またはリモコン装置から送信されてきた制御コマンドを受信するのを待っている。テレビジョン受信装置１は、装置本体に対する入力があると、この入力がチャンネルの切り換えにかかる入力であれば、受信部３において受信しているテレビ放送信号から抽出するテレビ放送信号のチャンネルを今回指示されたチャンネルに切り換え（ｓ３３、ｓ３４）、ｓ３２に戻る。ｓ３４にかかる処理は、上述したｓ１３と同じである。また、装置本体に対する入力が省エネモード時におけるバックライト１２の輝度の下限値の変更にかかる入力であれば、バックライト１２の輝度の下限値を今回指示された値に更新する（ｓ３５、ｓ３６）。このｓ３６にかかる処理は、上述したｓ１５と同じである。
【００３３】
また、テレビジョン受信装置１は、ｓ３６にかかる処理を完了すると、バックライト１２の輝度を今回設定された下限値にし（ｓ３７）、ｓ３２に戻る。ｓ３６では、制御部２が、メモリに記憶しているバックライト１２の輝度の下限値を今回指示された下限値に更新するとともに、輝度制御部８に対して今回指示されたバックライト１２の輝度の下限値を通知している。輝度制御部８は、この通知にしたがって、記憶しているバックライト１２の輝度の下限値を更新するとともに、ｓ３７でインバータ回路７に対してバックライト１２の輝度を、今回更新した下限値にするように指示する。インバータ回路７は、バックライト１２の輝度が輝度制御部８から今回指示された輝度（下限値）になるように、冷陰極管１２ａに供給する電力をＰＷＭ制御で調整する。
【００３４】
このように、テレビジョン受信装置１は、省エネモードで動作しているときに、バックライト１２の輝度の下限値を変更する操作が行われると、直ぐにバックライト１２の輝度を変更された下限値にする。したがって、ユーザは、バックライト１２の輝度が変更した下限値であるときに、液晶パネル１１に表示される映像の画質や、明るさ等を直ぐに確認することができる。すなわち、ユーザは、液晶パネル１１に表示される映像を確認しながら、バックライト１２の輝度の下限値を設定することができる。
【００３５】
なお、バックライト１２の輝度の下限値の変更は、その時点における下限値よりも小さい値に変更することもできれば、大きい値に変更することもできる。例えば、下限値を８０％から７０％に変更することもできれば、７０％から７５％に変更することもできる。
【００３６】
また、装置本体に対する入力が、装置本体の電源オフにかかる入力であれば、装置本体の電源をオフする電源オフ処理を実行し、本処理を終了する（ｓ３８、ｓ３９）。ｓ３９にかかる処理は、上述したｓ１７と同じである。さらに、装置本体に対する入力が、省エネモードから通常モードへの切り換えにかかる入力であれば、省エネモードから上述した通常モードへの移行にかかる処理を行い（ｓ４０、ｓ４１）、この省エネモードにかかる処理を終了する。ｓ４０では、制御部２が輝度制御部８に対して省エネモードから通常モードへのモード切り換えを指示したり、上述した通常モードにおける動作を開始する。また、ｓ４０にかかるモード切換処理では、バックライト１２の輝度を１００％にする処理も行われる。具体的には、輝度制御部８がインバータ回路７に対してバックライト１２の輝度を１００％にするように指示し、インバータ回路７がバックライト１２の輝度が１００％になるように、冷陰極管１２ａに供給する電力をＰＷＭ制御で調整する。また、テレビジョン受信装置１は、装置本体に対する入力が上記以外であれば、その入力に応じた処理（その他の処理）を行い（ｓ４２）、ｓ３２に戻る。
【００３７】
また、テレビジョン受信装置１は、ｓ３１でバックライト１２の輝度が下限値でないと判定すると、以下に示すｓ５０以降の処理（図６に示す処理）を実行する。テレビジョン受信装置１は、タイマ（不図示）をリセットし、このリセットしたタイミングからの経過時間の計測を開始する（ｓ５０）。このタイマは制御部２に設けられている。テレビジョン受信装置１は、装置本体に対する入力があるか（ｓ５１）、タイマで計測している経過時間が予め設定されている設定時間、例えば５分、になるのを待つ（ｓ５２）。テレビジョン受信装置１は、装置本体に対する入力があると、この入力がチャンネルの切り換えにかかる入力であれば、受信部３において受信しているテレビ放送信号から抽出するテレビ放送信号のチャンネルを今回指示されたチャンネルに切り換える（ｓ５３、ｓ５４）。ｓ５４にかかる処理は、上述したｓ１３と同じである。テレビジョン受信装置１は、ｓ５４にかかる処理を完了すると、黒ベタの映像を一定時間、例えば０．５〜１秒、液晶パネル１１に表示する（ｓ５５）。ｓ５５で黒ベタの映像を液晶パネル１１に表示する一定時間は、視聴しているユーザが液晶パネル１１に黒ベタの映像が表示されたことを認識でき、且つ余り長くない時間とするのが好ましい。ｓ５５では、制御部２が黒ベタの映像を一定時間、液晶パネル１１に表示することを映像信号処理部４に指示する。映像信号処理部４は、黒ベタの映像にかかる映像信号を液晶ドライバ６に一定時間入力する。これにより、液晶ドライバ６が黒ベタの映像を液晶パネル１１に一定時間表示する。また、テレビジョン受信装置１は、バックライト１２の輝度を予め定められている第１の量だけ下げる（ｓ５６）。ｓ５６にかかる処理は、液晶パネル１１に黒ベタの映像が表示されている間に行われる。ｓ５６では、制御部２が輝度制御部８に対してバックライト１２の輝度を第１の量だけ下げることを指示する。輝度制御部８は、この指示にしたがって、インバータ回路７にバックライト１２の輝度を第１の量だけ下げることを指示する。インバータ回路７は、この指示にしたがって、バックライト１２の輝度を、第１の量下げた輝度に調整する。ただし、制御部２は、第１の量下げたバックライト１２の輝度が、設定されている下限値未満になるときには、輝度制御部８を介してインバータ回路７にバックライト１２の輝度を下限値とするように指示する。したがって、バックライト１２の輝度を設定されている下限値未満とする指示がインバータ回路７に対して行われることはなく、バックライト１２の輝度が下限値未満に調整されることはない。
【００３８】
テレビジョン受信装置１は、ｓ５６でバックライト１２の輝度を下げると、今回下げたバックライト１２の輝度が下限値であるかどうかを判定し（ｓ５７）、下限値でなければｓ５０に戻り、上記処理を繰り返す。反対に、ｓ５７で下限値であると判定すると、タイマによる経過時間の計測を停止し（ｓ５８）、ｓ３２に戻って上述した処理を行う。
【００３９】
また、装置本体に対する入力が省エネモード時におけるバックライト１２の輝度の下限値の変更にかかる入力であれば、バックライト１２の輝度の下限値を今回指示された値に更新し（ｓ５９、ｓ６０）、バックライト１２の輝度を今回設定された下限値にする（ｓ６１）。ｓ６０、ｓ６１にかかる処理は、上述したｓ２５、２６と同じである。テレビジョン受信装置１は、ｓ６１にかかる処理を完了すると、ｓ５８でタイマによる経過時間の計測を停止し、ｓ３２に戻って上述した処理を行う。また、装置本体に対する入力が、装置本体の電源オフにかかる入力であれば、装置本体の電源をオフする電源オフ処理を実行し、本処理を終了する（ｓ６２、ｓ６３）。ｓ６３にかかる処理は、上述したｓ１７にかかる処理と同じである。また、装置本体に対する入力が、省エネモードから上述した通常モードへの切り換えにかかる入力であれば、省エネモードから上述した通常モードへの移行にかかる処理を行い（ｓ６４、ｓ６５）、この省エネモードにかかる処理を終了する。ｓ６５にかかる処理は、上述したｓ４０にかかる処理と同じであり、バックライト１２の輝度が１００％に調整される。また、テレビジョン受信装置１は、装置本体に対する入力が上記以外の入力であれば、その入力に応じた処理（その他の処理）を行う（ｓ６６）。
【００４０】
さらに、テレビジョン受信装置１は、ｓ５２でタイマが計測している時間が、予め設定されている設定時間に達したと判定すると、バックライト１２の輝度を第２の量だけ下げる（ｓ６７）。この第２の量は、ｓ５６で下げる第１の量の半分以下である。ｓ６７では、制御部２が輝度制御部８に対してバックライト１２の輝度を第２の量だけ下げることを指示する。輝度制御部８は、この指示にしたがって、インバータ回路７にバックライト１２の輝度を第２の量だけ下げることを指示する。インバータ回路７は、この指示にしたがって、バックライト１２の輝度を、第２の量下げた輝度に調整する。ただし、制御部２は、第２の量下げたバックライト１２の輝度が、設定されている下限値未満になるときには、輝度制御部８を介してインバータ回路７にバックライト１２の輝度を下限値とするように指示する。したがって、バックライト１２の輝度を設定されている下限値未満とする指示がインバータ回路７に対して行われることはなく、バックライト１２の輝度が下限値未満に調整されることはない。
【００４１】
そして、テレビジョン受信装置１は、ｓ６７でバックライト１２の輝度を下げると、今回下げたバックライト１２の輝度が下限値であるかどうかを判定し（ｓ６８）、下限値でなければｓ５０に戻り、上記処理を繰り返す。反対に、ｓ５７で下限値であると判定すると、タイマによる経過時間の計測を停止し（ｓ６９）、ｓ３２に戻って上述した処理を行う。ｓ６９にかかる処理は、上述したｓ４８にかかる処理と同じである。
【００４２】
このように、この実施形態のテレビジョン受信装置１は、省エネモードで動作しており、且つバックライト１２の輝度が設定されている下限値でないとき、チャンネルの切り換えにかかる入力がある毎に、バックライト１２の輝度を第１の量だけ下げる。言い換えれば、ユーザがチャンネルを切り換える毎に、バックライト１２の輝度が第１の量ずつ段階的に下げられる。また、バックライト１２の輝度を第１の量下げるときに、液晶パネル１１に黒ベタの映像を一定時間表示し、視聴しているユーザに暗い映像を印象づけるようにしているので、黒ベタの映像の表示が終わり、切り換えられたチャンネルで放送されている番組の映像が液晶パネル１１に表示されたときに、多くのユーザがバックライト１２の輝度を一定量下げられていることに気づかせない。したがって、バックライト１２の輝度をユーザに気づかせることなく下げることができ、ユーザに違和感を与えるのを防止できる。
【００４３】
また、この実施形態のテレビジョン受信装置１は、省エネモードで動作しているときに、チャンネルの切り換えにかかる入力が無くても、予め設定されている設定時間経過する毎にバックライト１２の輝度を第２の量ずつ下げていく。また、この第２の量を比較的小さい量に設定しているので、バックライト１２の輝度をユーザに気づかせることなく下げることができ、ユーザに違和感を与えるのを防止できる。
【００４４】
したがって、この実施形態のテレビジョン受信装置１は、省エネモードで動作しており、且つバックライト１２の輝度が設定されている下限値でないとき、図７に示すように、チャンネルの切り換えにかかる入力があるか（図中に示すｔ１、ｔ２）、またはチャンネルの切り換えにかかる入力の無い時間が一定時間継続すると（図中に示すｔ３）、バックライト１２の輝度が第１の量、または第２の量だけ下げられるので、省エネモードで動作しているときには、確実に装置本体の諸費電力を低減することができる。また、ユーザにバックライトの輝度が下がったことを殆ど感じさせることがなく、違和感を与えることがない。
【００４５】
さらに、バックライト１２の輝度が設定されている下限値未満になることもないので、ユーザが液晶パネル１１に表示されている映像が暗くて見にくいと感じるレベルまでバックライト１２の輝度を下げ、ユーザの視聴を妨げるという事態が生じることもない。
【００４６】
なお、上記実施形態における制御部２と輝度制御部８とは、１つのマイコンで構成してもよい。
。
【図面の簡単な説明】
【００４７】
【図１】この発明の実施形態である液晶表示装置を適用したテレビジョン受信装置の構成を示す図である。
【図２】この発明の実施形態であるテレビジョン受信装置のバックライトの構成を示す図である。
【図３】この実施形態のテレビジョン受信装置の電源オン時の初期動作を示すフローチャートである。
【図４】この実施形態のテレビジョン受信装置の通常モードにおける動作を示すフローチャートである。
【図５】この実施形態のテレビジョン受信装置の省エネモードにおける動作を示すフローチャートである。
【図６】この実施形態のテレビジョン受信装置の省エネモードにおける動作を示すフローチャートである。
【図７】省エネモード時におけるバックライトの輝度の変化を示す図である。
【符号の説明】
【００４８】
１−テレビジョン受信装置
２−制御部
３−受信部
４−映像信号処理部
５−音声信号処理部
６−液晶パネルドライバ
７−インバータ回路
８−輝度制御部
９−操作部
１１−液晶パネル
１２−バックライト
１２ａ−冷陰極管
１２ｂ−反射板
１２ｃ−導光板
【図１】
2006238390.tif 000003
【図２】
2006238390.tif 000004
【図３】
2006238390.tif 000005
【図４】
2006238390.tif 000006
【図５】
2006238390.tif 000007
【図６】
2006238390.tif 000008
【図７】
2006238390.tif 000009